(57)【要約】      （修正有）【課題】口腔疾患好発部への毛先の到達性が高く、なおかつ、耐薬品性、ヘッド部強度に優れ、植毛強度の高い歯ブラシを提供する。【解決手段】複数本の用毛２を束ねた毛束３を植毛した複数の植毛穴４が、ヘッド部の植毛面に形成されている歯ブラシであって、前記用毛２は、長さ方向に延在する少なくとも１つの平面２ａを有し、前記毛束３は、平線６を用いて２つ折りにして植毛され、前記複数の植毛穴４は、最近接する任意の植毛穴４との穴縁間隔ｄが１ｍｍ以下とされ、かつ該植毛された前記用毛２が折り返された状態での１穴当たりの用毛２の断面積総和が１ｍｍ２以下とされ、前記ヘッド部は、金属を１０重量％以上４０重量％以下の範囲で含有するポリプロピレン樹脂からなる歯ブラシとする。【選択図】図２
0003129537.tif 000002
【実用新案登録請求の範囲】
【請求項１】
複数本の用毛を束ねた毛束を植毛した複数の植毛穴が、ヘッド部の植毛面に形成されている歯ブラシであって、
前記用毛は、長さ方向に延在する少なくとも１つの平面を有し、
前記毛束は、平線を用いて２つ折りにして植毛され、
前記複数の植毛穴は、最近接する任意の植毛穴との穴縁間隔が１ｍｍ以下とされ、かつ該植毛された前記用毛が折り返された状態での１穴当たりの用毛の断面積総和が１ｍｍ２以下とされ、
前記ヘッド部は、金属を１０重量％以上４０重量％以下の範囲で含有するポリプロピレン樹脂からなることを特徴とする歯ブラシ。
【請求項２】
前記金属が硫酸バリウムであることを特徴とする請求項１に記載の歯ブラシ。
【請求項３】
前記用毛の断面形状が三角形または正方形、長方形、平行四辺形、菱形などの矩形であることを特徴とする請求項１および請求項２に記載の歯ブラシ。
【考案の詳細な説明】
【技術分野】
【０００１】
本考案は、口腔疾患好発部への毛先の到達性が高く、なおかつ、耐薬品性、ヘッド部強度に優れ、植毛強度の高い歯ブラシに関する。
【背景技術】
【０００２】
一般に、歯ブラシのヘッド部は、植毛穴に平線を用いて毛束が打ち込まれることにより、用毛が固定されている。従来、植毛穴は、歯ブラシのヘッド部の植毛面に１ｍｍ以上の間隔で形成されており、植毛穴１穴あたりの用毛の数が１６〜６０本（折り返しで３２〜１２０本）とされ、１穴あたりの用毛断面の総和が１ｍｍ2を超えている。
【０００３】
このような歯ブラシでは、毛束が太く毛束の剛性が高くなる為、特に平滑面や口咬面の歯垢除去力が高いという利点があった。しかしながら、このような歯ブラシでは、毛束が太いため、１つの毛束を構成する用毛同士が互いに支え合ってしまうことになり、用毛単体が持つ本来のしなやかな動きが発揮できなかった。このため、従来の歯ブラシでは、歯頚部や歯間部、歯間三角等の口腔疾患好発部とされる狭い部位に毛先が届き難いことや、歯肉等の軟組織に対しては刺激が大きいことが問題となっていた。
【０００４】
この問題を解決するために、少なくとも一部の植毛穴について、最近接する任意の植毛穴との間の穴縁間隔が１ｍｍ以下であり、かつ、該植毛穴に植毛された刷毛の折り返された状態での１穴当たりの用毛断面積の総和が１ｍｍ２以下である歯ブラシが提案されている（例えば、特許文献１参照）。特許文献１に記載の歯ブラシとすることで、毛束の柔軟性が十分に発揮され、歯牙や口腔内軟組織への当たり心地が良く、歯頚部や、歯間部、歯間三角等の口腔疾患好発部への毛先の到達性の高いものとなる。
【０００５】
また、従来から、歯ブラシのヘッド部やハンドル部の材質として、耐薬品性、加工性に優れるポリプロピレン樹脂が広く用いられている。
また、歯ブラシの用毛としては、一般に、円形の断面形状を有するものが用いられているが、歯垢の除去効果を高めるために、異形断面形状を有する用毛を用いることが提案されている（例えば、特許文献２〜特許文献４参照）。
【特許文献１】特開２００４−１２１８２３号公報
【特許文献２】特開昭６１−１６８３０４号公報
【特許文献３】特開平６−２３３７０９号公報
【特許文献４】特開平１０−３２３２２６号公報
【考案の開示】
【考案が解決しようとする課題】
【０００６】
しかしながら、ポリプロピレン樹脂を用いたヘッド部では、平線を用いて毛束を植毛穴に植毛した場合、平線の打ち込む方向や数によっては十分な強度が得られないことがあった。これは、平線を打ち込むことにより植毛穴の内壁に生じた傷や、ヘッド部内に残存した歪みが原因と考えられ、製造時や歯磨き操作中におけるヘッド部の割れを生じやすくしている。特に、隣接する植毛穴間の間隔が狭く、平線が近接して打ち込まれる特許文献１に記載の技術では、ヘッド部の強度が十分に得られない場合があった。
【０００７】
ヘッド部の強度を向上させるためには、ヘッド部を構成するポリプロピレン樹脂中に、ゴム質を添加したり、金属を添加したりすることで、ポリプロピレン樹脂の強度を向上させることが考えられる。
しかしながら、例えば、特許文献１に記載の歯ブラシのヘッド部を、ゴム質を添加したポリプロピレン樹脂からなるものとした場合、ヘッド部の強度は高まるものの、ヘッド部の反りが発生したり、植毛強度の低下が見られた。また、特許文献１に記載の歯ブラシのヘッド部を、金属を添加したポリプロピレン樹脂からなるものとした場合にも、ヘッド部の反りはないものの、植毛強度が低くなるという問題があった。
【０００８】
本考案は、上記の点に鑑みてなされたものであり、口腔疾患好発部への毛先の到達性が高く、なおかつ、耐薬品性、ヘッド部強度に優れ、植毛強度の高い歯ブラシを提供することを目的とする。
【課題を解決するための手段】
【０００９】
上記課題を解決するために、本考案の歯ブラシは、複数本の用毛を束ねた毛束を植毛した複数の植毛穴が、ヘッド部の植毛面に形成されている歯ブラシであって、前記用毛は、長さ方向に延在する少なくとも１つの平面を有し、前記毛束は、平線を用いて２つ折りにして植毛され、前記複数の植毛穴は、最近接する任意の植毛穴との穴縁間隔が１ｍｍ以下とされ、かつ該植毛された前記用毛が折り返された状態での１穴当たりの用毛の断面積総和が１ｍｍ２以下とされ、前記ヘッド部は、金属を１０重量％以上４０重量％以下の範囲で含有するポリプロピレン樹脂からなることを特徴とする。
【００１０】
本考案の歯ブラシでは、複数の植毛穴は、最近接する任意の植毛穴との穴縁間隔が１ｍｍ以下とされ、かつ該植毛された前記用毛が折り返された状態での１穴当たりの用毛の断面積総和が１ｍｍ２以下とされているので、口腔疾患好発部位への毛先の到達性が高く、歯頸部、歯間乳頭部などの口腔粘膜に過大な負荷をかけることなしに優れた歯垢除去、歯肉マッサージ機能を発揮させることができる。
【００１１】
しかも、本考案の歯ブラシでは、用毛が長さ方向に延在する少なくとも１つの平面を有しているので、用毛同士の接触、用毛と平線との接触、用毛と植毛穴の内壁面との接触のうち、少なくとも一部が用毛の平面でなされるものとなる。よって、本考案の歯ブラシでは、用毛同士の接触、用毛と平線との接触、用毛と植毛穴の内壁面との接触による摩擦力を十分に確保することができ、植毛強度を向上することができる。
ここで、例えば、用毛が円形の断面形状を有するものである場合、長さ方向に延在する平面が存在しないため、用毛同士の接触、用毛と平線との接触、用毛と植毛穴の内壁面との接触は、全て用毛の外面との点の接触となる。したがって、用毛が円形の断面形状を有する場合、用毛同士の接触、用毛と平線との接触、用毛と植毛穴の内壁面との接触による摩擦力が十分に得られず、植毛強度が十分に得られない。
また、本考案の歯ブラシでは、ヘッド部が、金属を１０重量％以上４０重量％以下の範囲で含有するポリプロピレン樹脂からなるものであるので、高い強度を有するヘッド部を備えたものとなる。
【００１２】
また、本考案の歯ブラシにおいては、前記金属が硫酸バリウムであることを特徴とするものとすることができる。
【００１３】
また、本考案の歯ブラシにおいては、前記用毛の断面形状が三角形または正方形、長方形、平行四辺形、菱形などの矩形であるものとすることができる。
【考案の効果】
【００１４】
本考案によれば、口腔疾患好発部への毛先の到達性が高く、なおかつ、耐薬品性、ヘッド部強度に優れ、植毛強度の高い歯ブラシを提供できる。
【考案を実施するための最良の形態】
【００１５】
次に、図面を用いて本考案の実施の形態を詳細に説明する。なお、本考案は、以下に説明する実施の形態に限定されない。
図１は、本考案の歯ブラシの一例を説明するための平面図である。また、図２は、図１に示す歯ブラシを構成する毛束のうちの１束を拡大して植毛穴に植毛されている状態を示した拡大模式図であり、図２（ａ）は斜視図であり、図２（ｂ）は平面図である。
【００１６】
図１は歯ブラシ１を植毛面５ａ側から見た平面図であり、図１（ａ）は全体図であり、図１（ｂ）は拡大図である。歯ブラシ１は、ヘッド部５と、ヘッド部５と一体成形されたハンドル部９とを備えている。ヘッド部５の植毛面５ａには、７６穴の植毛穴４が形成されている。図１および図２（ｂ）に示すように、全ての植毛穴４の平面形状は、長円形とされており、ヘッド部５の幅方向が長軸方向となるように並べられている。また、植毛穴４にはそれぞれ、複数本の用毛２を束ねてなる毛束３が植毛されている。毛束３は、図２（ａ）および図２（ｂ）に示すように、平線６を用いて２つ折りにして植毛されたものである。
【００１７】
なお、本実施形態においては、植毛穴４の平面形状を長円形としたが、植毛穴の平面形状は、長円形に限定されるものではなく、例えば、通常の円形であってもよいし、略楕円形、略長円形、略長方形など植毛穴４の長径と短径とを異ならせた形状としてもよい。植毛穴４に長径と短径がある場合、植毛穴４の内壁面４１に接触する用毛２の割合が多くなり、用毛２と植毛穴４の内壁面４１との接触による摩擦力が大きいものとなるため、好ましい。また、植毛穴４に長径と短径がある場合、植毛穴４の配置方向を組み合わせることによって歯間進入性や、毛の当たり心地、刷掃実感など目的に応じた仕様の設計が可能となる。例えば、毛束３の植毛穴４の短径側がヘッド部５の外側から見えるように、ヘッド部５の植毛面５ａの外縁に植毛穴４を配列し、植毛穴４の長軸方向に平線６を打ち込めば、平線６に沿って用毛２が並ぶため、同じ本数の用毛２を植毛した円形の毛束３と比較して細く見え、外観差別性も著しく向上することが期待できる。また、平線６の干渉を避け、より密毛に植毛穴４の配置を行うために、植毛穴４の配置を千鳥にすることも可能である。また、植毛穴４の平面形状は、図１に示すように、全て同じであってもよいし、少なくとも一部が異なっていてもよい。
【００１８】
本実施形態においては、図１に示す全ての植毛穴４は、最近接する任意の植毛穴４との穴縁間隔ｄが１ｍｍ以下とされ、より好ましくは０．２５〜０．７０ｍｍの範囲とされ、かつ植毛された用毛２が折り返された状態での１穴当たりの用毛２の断面積総和が１ｍｍ２以下とされ、より好ましくは０．１〜０．７ｍｍ２の範囲とされている。
穴縁間隔ｄが１ｍｍを超えると、ブラッシング運動に伴う毛束３の反撥作用が強くなり、毛束３のゴツゴツした感触が加わり、使用感が低下してしまうし、毛束の連続した運動が発揮されなくなり、歯垢除去効果も低下する。また、穴縁間隔ｄが狭過ぎると、毛束３の間隔が狭くなり、歯間に用毛が入りにくくなり、歯間進入性が低下する。
また、１つの植毛穴４に植毛される用毛２の断面積総和が１ｍｍ２を超えると、毛束３としての強度が大きくなるため、剛性の高い毛束となって毛束３の柔軟性が極端に低下するため、好ましくない。また、断面積総和が０．１ｍｍ２未満であると、ヘッド部５に植毛される用毛２の総本数が少なくなるため、毛束３の強度が不十分となり、平滑面の歯垢除去効果が不十分となる場合がある。
【００１９】
毛束３を構成する用毛２は、図２（ａ）および図２（ｂ）に示すように、菱形の断面形状を有し、図２（ａ）に示すように、用毛２の長さ方向に延在する４つの平面２ａを有している。そして、用毛２同士の接触、用毛２と平線６との接触、用毛２と植毛穴４の内壁面４１との接触は、全て用毛２の平面２ａでなされている。
なお、用毛２の断面形状は、菱形に限定されるものではなく、例えば、図３（ａ）に示すように三角形としてもよいし、図３（ｂ）に示すように正方形としてもよい。図３（ａ）および図３（ｂ）に示すように、用毛２の断面形状が三角形や正方形である場合においても、断面形状が菱形である場合と同様に、用毛２同士の接触、用毛２と平線６との接触、用毛２と植毛穴４の内壁面４１との接触は、全て用毛２の平面２ａでなされる。
さらに、用毛２の断面形状は、長さ方向に延在する少なくとも１つの平面を有するものであればよく、長方形、平行四辺形などの矩形であってもよい。
【００２０】
用毛２の太さとしては、３〜１０ミル（０．０７６〜０．２５４ｍｍ）、好ましくは５〜８ミル（０．１２５〜０．２０３ｍｍ）のものが好ましいが、使用性、刷掃感、清掃効果、耐久性など考慮してこれらを組み合わせて利用しても良い。特に、植毛穴４を多数配置した仕様では、外側の毛束より中央に向かう用毛の強度を硬くまたは変化させる（太さ、材質、長さ、色、断面形状）事は使用感、外観差別性の上でも好ましい。
ここで、用毛径とは、断面形状が円形の場合には直径を示し、三角形や正方形、菱形などの矩形の場合には１辺の長さを示す。例えば、図２（ｂ）に示すように菱形である場合には符号ｄ１で示される寸法であり、図３（ａ）に示すように三角形である場合には符号ｄ２で示される寸法であり、図３（ｂ）に示すように正方形である場合には符号ｄ３で示される寸法である。
【００２１】
用毛２は、自由端部の毛切り(あるいはプロファイル)形状と用毛２の長さを任意に設定することにより、単一平面状としたり、山切り状としたり、凹凸形状とするなど、さらには、外側と内側、先端部と後端部などで異なった構成としても良い。また、用毛２を酸またはアルカリ薬剤に溶解させる化学的方法や、用毛２を歯ブラシ１に植毛した後毛先を機械研磨することにより毛先をテーパー状にしても良い。
【００２２】
また、ヘッド部５の植毛面５ａから鉛直方向に用毛２の先端までの距離である用毛長は、毛束仕様や用毛仕様によって使用感、清掃効果などを考慮して適宜選択されるが、一般には、大人用として８〜１２ｍｍ、子供用として６〜１０ｍｍとされる。
【００２３】
用毛２の材料としては、ポリエチレンテレフタレート、ポリブチレンテレフタレート、ポリトリメチレンテレフタレートなどのポリエステル、ナイロン６、ナイロン６６、ナイロン６−１０、ナイロン６−１２、ナイロン１２などのポリアミド、ポリエチレン、ポリプロピレンなどのポリオレフィン、および、ポリフッ化ビニリデンなどのポリハロゲン化ビニル等の溶融紡糸できる素材が利用される。また、用毛２として外側と内側とで材質の異なる２重芯鞘状の用毛、表面に凹凸加工を施した用毛など目的に応じて使用することが可能である。
【００２４】
また、用毛２となるモノフィラメントは、用毛２の特性を大きく損なわない範囲内で改質してもよく、熱や光に対する安定化剤、難燃剤、フィラー、表面潤滑剤、帯電防止剤、殺菌素材（抗菌素材）などの改質材、他の硬質樹脂やエラストマーなどを１種または２種以上適宜配合したり、用毛２に塗布したりしても良い。
【００２５】
用毛２は、着色していない透明(ナチュラル)のままの用毛であってもよいし、顔料や染料による透明系着色用毛あるいは不透明着色(白を含む)用毛でもよく、歯ブラシ１の外観の商品性などを考慮して適宜選択される。また、必要に応じて、２種あるいはそれ以上の色の異なる用毛２を、毛束３単位や毛束３内で組み合わせて使用しても良い。また、同一用毛の断面を多重芯鞘構造とする場合には、部分的に異なる素材や着色のものと組み合わせて用いることも出来る。
用毛２の着色方法としては、一般に用いられるように紡糸する際の樹脂そのものを着色するか、紡糸後、あるいは紡糸工程に付随して、表面から着色することが出来る。また、歯刷子へ植毛する前のカットピース状態（２５〜３５mm程度の用毛長さの束）や植毛後に、用毛の先端部分のみ、あるいは用毛全部を着色することも出来る。
【００２６】
平線６の材質としては、真鍮、ステンレス等の金属の他、生分解性プラスチック、硬質プラスチックなども使用可能である。なお、平線６の幅や長さには特に制限は無く、任意に設定できる。なお、平線６の幅や長さには特に制限は無く、任意に設定できる。また、打ち込み方向に対して垂直となるように平線表面に溝をつけることによってさらに植毛強度を向上させることも可能である。
【００２７】
また、本実施形態においては、ヘッド部５およびハンドル部９は、金属を１０重量％以上４０重量％以下の範囲で含有するポリプロピレン樹脂からなるものである。
ポリプロピレン樹脂に含有される金属の量が１０重量％未満であると、ポリプロピレン樹脂の強度を向上させる効果が十分に得られず、成形したヘッド部５およびハンドル部９の強度の向上が望めない。一方、金属の量が４０重量％を超えると、成形が困難になるし、樹脂が硬くなってポリプロピレン樹脂の利点である加工性が低下してしまう。
【００２８】
また、ポリプロピレン樹脂に含有される金属としては、炭酸カルシウム、タルク、硫酸バリウムなどを用いることができるが、成形後に、耐薬品性、外観の光沢性に優れたヘッド部５およびハンドル部９が得られる硫酸バリウムを用いることが好ましい。
【００２９】
なお、ヘッド部５およびハンドル部９の形状や、大きさ、デザインは、何ら制限を受けないが、例えば、ヘッド部５の厚みは、十分な強度が得られ、かつ、清掃しやすい歯ブラシとするため、３ｍｍ〜６ｍｍ程度の厚みとすることが好ましい。
【００３０】
また、ヘッド部５とハンドル部９とは、一体成形により形成したものとすることができ、ハンドル部９は、熱可塑性エラストマーと組み合わせた多色成形ハンドルとしてもよい。
【００３１】
本実施形態の歯ブラシ１では、最近接する任意の植毛穴４との穴縁間隔ｄが１ｍｍ以下とされ、かつ植毛された用毛２が折り返された状態での１穴当たりの用毛２の断面積総和が１ｍｍ２以下とされ、細い毛束３が最適な穴縁間隔ｄで配置されたものとなる。このため、用毛２の１本１本が歯牙および歯肉に届きやすくなり、口腔疾患好発部位への毛先の到達性が改善される。また、毛束３が少数本の用毛２からなるものとされるため、細い毛束の連続した動きを発現させることが可能となり、歯頸部、歯間乳頭部などの口腔粘膜に過大な負荷をかけることなしに優れた歯垢除去、歯肉マッサージ機能を発揮させることができる。
【００３２】
また、本実施形態の歯ブラシ１では、用毛２が菱形の断面形状を有し、用毛２の長さ方向に延在する４つの平面２ａを有しているので、用毛２同士の接触、用毛２と平線６との接触、用毛２と植毛穴４の内壁面４１との接触が、全て用毛２の平面２ａでなされるものとなる。よって、用毛２同士の接触、用毛２と平線６との接触、用毛２と植毛穴４の内壁面４１との接触による摩擦力を十分に確保することができるので、植毛強度を向上することができる。
なお、用毛２の断面形状が、三角形である場合や矩形である場合にも、用毛２の断面形状が菱形である場合と同様に、用毛２同士の接触、用毛２と平線６との接触、用毛２と植毛穴４の内壁面４１との接触は、全て用毛２の平面２ａでなされるので、植毛強度を向上させることができる。
【００３３】
また、本実施形態の歯ブラシ１では、用毛２が菱形の断面形状を有しているので、図２（ｂ）に示すように、対向する２つの平面２ａがそれぞれ、平線６と植毛穴４の内壁面４１とに接触した状態とされ、平線６または植毛穴４の内壁面４１と用毛２とによって鋭角部４２が形成されるとともに、この鋭角部４２に、鋭角部４２に合致する形状を有する隣接する用毛２がはめ込まれるため、断面形状が正方形である場合や三角形である場合と比較して、用毛２同士、用毛２と平線６、用毛２と植毛穴４の内壁面４１とがより強固に密着するものとなり、植毛強度をさらに向上することができる。
なお、用毛２の断面形状が、平行四辺形である場合にも、用毛２の断面形状が菱形である場合と同様に、対向する２つの平面２ａがそれぞれ、平線６と植毛穴４の内壁面４１とに接触した状態とされ、平線６または植毛穴４の内壁面４１と用毛２とによって鋭角部４２が形成されるとともに、この鋭角部４２に、鋭角部４２に合致する形状を有する隣接する用毛２がはめ込まれるため、植毛強度をさらに向上することができる。
【００３４】
さらに、本実施形態の歯ブラシ１では、ヘッド部５およびハンドル部９が、金属を１０重量％以上４０重量％以下の範囲で含有するポリプロピレン樹脂からなるものであるので、高い強度を有するヘッド部５を備えたものとなる。
【００３５】
以下に実施例を示して本考案をさらに詳しく説明するが、本考案はこれら実施例に限定されるものではない。
「実施例１〜実施例６、比較例１〜比較例６」
図１に示す長軸１．５２ｍｍ、短軸０．６４ｍｍの長円形の植毛穴４を表１に示す穴縁間隔で７６穴備えたヘッド部５と、ハンドル部９とを、表１に示す材質に表１に示す金属を表１に示す含有量で含有させた樹脂を用いて一体成形した。その後、表１に示す断面形状の用毛を複数本束ねた毛束を、平線を用いて２つ折りにしてヘッド部に植毛し、表１に示す１穴当たりの用毛の断面積総和の実施例１〜実施例６、比較例１〜比較例６の歯ブラシを得た。
【００３６】
【表１】
0003129537.tif 000003
【００３７】
なお、表１においてＰＰとは、ポリプロピレン樹脂を意味し、ＰＣＴＡとは、飽和ポリエステル樹脂を意味する。
【００３８】
「比較例７」
図１１に示す直径１．６ｍｍの円形の植毛穴１４を表１に示す穴縁間隔で２３穴備えたヘッド部１５とハンドル部１９とを、実施例１と同様の樹脂を用いて一体成形した。その後、表１に示す断面形状の用毛を複数本束ねた毛束を、平線を用いて２つ折りにしてヘッド部１５に植毛し、表１に示す１穴当たりの用毛の断面積総和の比較例７の歯ブラシ１０を得た。図１１は比較例７の歯ブラシ１０を植毛面側から見た平面図であり、図１１（ａ）は全体図であり、図１１（ｂ）は拡大図である。
【００３９】
なお、実施例１〜実施例６、比較例１〜比較例７の歯ブラシの用毛として、用毛径８ｍｉｌのナイロンを用いた。
【００４０】
このようにして得られた実施例１〜実施例６、比較例１〜比較例７の歯ブラシに対し、以下に示すようにして「ヘッド部耐折強度」「毛束強度」「１本毛抜け強度」「耐薬品性」「外観（光沢性）」の試験を実施して以下に示すように評価した。
その結果を表２に示す。
【００４１】
「ヘッド部耐折強度」
まず、歯ブラシの用毛の植毛穴から出ている部分を切断し、ヘッド部の植毛面側を平滑にした。その後、ヘッド部をアイゾット衝撃試験機に固定し、植毛面側からハンマーにより衝撃を与え、ヘッド部が破断した時の吸収エネルギー（Ｊ）を測定した。
○：１．５Ｊ以上
△：０．５Ｊ以上１．５Ｊ未満
×：０．５Ｊ未満
【００４２】
「毛束強度」
歯ブラシの１穴中の全用毛をつかみ、島津社製オートグラフで２０ｍｍ/分の速度で用毛を引張り、用毛が植毛穴から抜けるまでの最大引張力（Ｎ）を測定した。
◎：２０Ｎ以上
○：１５Ｎ以上２０Ｎ未満
△：８Ｎ以上１５Ｎ未満
×：８Ｎ未満
【００４３】
「１本毛抜け強度」
歯ブラシの植毛穴に植毛されている用毛１本をつかみ、島津社製オートグラフで２０ｍｍ/分の速度で用毛を引張り、用毛が植毛穴から抜けるまでの最大引張力（Ｎ）を測定した。
◎：３Ｎ以上  
○：１．５Ｎ以上３Ｎ未満
△：１Ｎ以上１．５Ｎ未満
×：１Ｎ未満
【００４４】
「耐薬品性」
歯ブラシを５０％歯磨き剤水溶液の中に２週間放置し、ハンドルの外観状態を目視観察した。
○：変化なし
×：クレージング（網目状の表面亀裂）が発生した
【００４５】
「外観（光沢性）」
成形したハンドルの光沢を目視観察した。
○：光沢あり
×：光沢なし
【００４６】
「総合評価」
ヘッド部耐折強度、毛束強度、１本毛抜け強度、耐薬品性、外観（光沢性）の試験の結果を基に判断した。
○：すべてが「◎」もしくは「○」。（機能および外観が良好）
△：ヘッド部耐折強度、毛束強度、1本毛抜け強度、耐薬品性が「◎」もしくは「○」であり、外観が「×」である。（機能のみ良好）
×：ヘッド部耐折強度、毛束強度、1本毛抜け強度、耐薬品性に「△」が２つ以上ある、もしくは「×」がある。（機能が不可）
【００４７】
【表２】
0003129537.tif 000004
【００４８】
表２に示すように、ヘッド部が硫酸バリウムを含有するポリプロピレン樹脂からなり、用毛が菱形または三角形である実施例１〜実施例４では、全ての評価が○または◎であり、総合評価が○となった。
また、ヘッド部がタルクを含有するポリプロピレン樹脂からなり、用毛が菱形である実施例５〜実施例６では、外観の評価を除く全ての評価が○であったが、外観の評価が×であり、総合評価が△となった。
【００４９】
これに対して、用毛が円形である比較例１では、「毛束強度」「１本毛抜け強度」の評価が△となり、総合評価が×となった。
また、硫酸バリウムの含有量が本発明の範囲未満である比較例２では、「毛束強度」「１本毛抜け強度」「耐薬品性」「外観」の評価が○となったが、「ヘッド部耐折強度」が×となり、総合評価は×となった。
【００５０】
また、ヘッド部が、金属を含有しないＰＣＴＡからなる比較例３では、用毛が円形であるにもかかわらず「毛束強度」「１本毛抜け強度」の評価が○となったが、「ヘッド部耐折強度」が△、「耐薬品性」の評価が×となり、総合評価は×となった。
また、ヘッド部が、金属を含有しないＰＣＴＡからなる比較例４では、「毛束強度」の評価が◎、「１本毛抜け強度」の評価が○となったが、「ヘッド部耐折強度」が△、「耐薬品性」の評価が×となり、総合評価は×となった。
【００５１】
また、ヘッド部が、金属を含有しないポリプロピレン樹脂からなる比較例５および比較例６では、「ヘッド部耐折強度」が×となり、総合評価が×となった。
【００５２】
また、用毛が円形で、穴縁間隔および断面積総和が本発明の範囲外である比較例７では、全ての評価が○または◎であり、総合評価が○となった。
そして、比較例７および実施例１〜実施例６の総合評価の結果から、実施例１〜実施例４では、従来の歯ブラシと同等の機能（ヘッド部耐折強度、毛束強度、1本毛抜け強度、耐薬品性）および外観が得られ、実施例５〜実施例６では、従来の歯ブラシと同等の機能が得られることが確認できた。
【００５３】
次に本考案の他の例を示す。
「実施例７〜実施例１４」
図１、図４〜図１０、表３に示す穴縁間隔、数、形状の植毛穴を備えたヘッド部と、ハンドル部とを、ポリプロピレン樹脂に表３に示す含有量で表３に示す金属を含有させた樹脂を用いて一体成形した。その後、表３に示す断面形状および材質の用毛を表３に示す本数で束ねた毛束を、表３に示す寸法および材質の平線を用いて２つ折りにしてヘッド部に植毛し、表３に示す１穴当たりの用毛の断面積総和、仕様の実施例７〜実施例１４の歯ブラシを得た。
【００５４】
【表３】
0003129537.tif 000005
【００５５】
なお、表３において、植毛穴の寸法は、植毛穴の断面形状が長円形または略長方形である場合には「短軸×長軸」であり、植毛穴の断面形状が円形である場合には「直径」である。また、平線の寸法は「厚み×幅×長さ」である。
【００５６】
また、図１は実施例７の歯ブラシを示した図であり、図４は実施例８の歯ブラシを示した図であり、図５は実施例９の歯ブラシを示した図であり、図６は実施例１０の歯ブラシを示した図であり、図７は実施例１１の歯ブラシを示した図である。図１、図４〜図７に示す実施例７〜実施例１１の歯ブラシは、いずれもヘッドの幅方向が植毛穴の長軸方向となるように植毛穴が配置されている。また、図７に示す実施例１１の歯ブラシでは、植毛穴４ａが略長方形とされている。
【００５７】
また、図８は実施例１２の歯ブラシを示した図である。図８に示す実施例１２の歯ブラシでは、ヘッド部の植毛面の外縁に沿って（外側）、幅方向が植毛穴の長軸方向となるように植毛穴４が一列配列されており、ヘッド部の植毛面の中央部分には（内側）、幅方向が植毛穴の短軸方向となるように植毛穴４ｂが３列配列されている。
また、図９は実施例１３の歯ブラシを示した図である。図９に示す実施例１３の歯ブラシでは、幅方向が植毛穴の長軸方向である略長方形の植毛穴４ｄが、ヘッド部の植毛面の外縁に沿って一列配列されているとともに、ヘッド部の植毛面の中央部分に１列配列され、略長方形の植毛穴４ｄの列の間に円形の植毛穴４ｃが１列ずつ配列されている。
また、図１０は実施例１４の歯ブラシを示した図である。図１０に示す実施例１４の歯ブラシでは、ヘッドの幅方向が植毛穴の長軸方向となるように３列の略長方形の植毛穴４ｄが配置され、先端部に２つの円形の植毛穴４ｃが配置されている。
【００５８】
このようにして得られた実施例７〜実施例１４の歯ブラシに対し、実施例１と同様にして「ヘッド部耐折強度」「毛束強度」「１本毛抜け強度」「耐薬品性」「外観（光沢性）」の試験を実施して評価した。
その結果を表４に示す。
【００５９】
【表４】
0003129537.tif 000006
【００６０】
表４に示すように、実施例７〜実施例１４では、外観の評価を除く全ての評価が○または◎であり、総合評価が○または△であった。
【図面の簡単な説明】
【００６１】
【図１】図１は、本考案の歯ブラシの一例を説明するための平面図である。
【図２】図２は、図１に示す歯ブラシを構成する毛束のうちの１束を拡大して植毛穴に植毛されている状態を示した拡大模式図であり、図２（ａ）は斜視図であり、図２（ｂ）は平面図である。
【図３】図３は、本考案の歯ブラシの他の例を説明するための図であり、歯ブラシを構成する毛束のうちの１束を拡大して植毛穴に植毛されている状態を示した平面図である。
【図４】図４は、本考案の歯ブラシの他の例を説明するための平面図である。
【図５】図５は、本考案の歯ブラシの他の例を説明するための平面図である。
【図６】図６は、本考案の歯ブラシの他の例を説明するための平面図である。
【図７】図７は、本考案の歯ブラシの他の例を説明するための平面図である。
【図８】図８は、本考案の歯ブラシの他の例を説明するための平面図である。
【図９】図９は、本考案の歯ブラシの他の例を説明するための平面図である。
【図１０】図１０は、本考案の歯ブラシの他の例を説明するための平面図である。
【図１１】図１１は、比較例７の歯ブラシを説明するための平面図である。
【符号の説明】
【００６２】
１・・・歯ブラシ、２・・・用毛、２ａ・・・平面、３・・・毛束、４・・・植毛穴、５・・・ヘッド部、５ａ・・・植毛面、６・・・平線、９・・・ハンドル部、４１・・・内壁面、４２・・・鋭角部、ｄ・・・穴縁間隔。
【図１】
0003129537.tif 000007
【図２】
0003129537.tif 000008
【図３】
0003129537.tif 000009
【図４】
0003129537.tif 000010
【図５】
0003129537.tif 000011
【図６】
0003129537.tif 000012
【図７】
0003129537.tif 000013
【図８】
0003129537.tif 000014
【図９】
0003129537.tif 000015
【図１０】
0003129537.tif 000016
【図１１】
0003129537.tif 000017
【手続補正書】
【提出日】平成18年12月13日(2006.12.13)
【手続補正１】
【補正対象書類名】実用新案登録請求の範囲
【補正対象項目名】全文
【補正方法】変更
【補正の内容】
【実用新案登録請求の範囲】
【請求項１】
複数本の用毛を束ねた毛束を植毛した複数の植毛穴が、ヘッド部の植毛面に形成されている歯ブラシであって、
前記用毛は、長さ方向に延在する少なくとも１つの平面を有し、
前記毛束は、平線を用いて２つ折りにして植毛され、
前記複数の植毛穴は、最近接する任意の植毛穴との穴縁間隔が１ｍｍ以下とされ、かつ該植毛された前記用毛が折り返された状態での１穴当たりの用毛の断面積総和が１ｍｍ２以下とされ、
前記ヘッド部は、金属を１０重量％以上４０重量％以下の範囲で含有するポリプロピレン樹脂からなることを特徴とする歯ブラシ。
【請求項２】
前記金属が硫酸バリウムであることを特徴とする請求項１に記載の歯ブラシ。
【請求項３】
前記用毛の断面形状が三角形または正方形、長方形、平行四辺形、菱形などの矩形であることを特徴とする請求項１または請求項２に記載の歯ブラシ。